(57)【特許請求の範囲】
【請求項１】
複数の他の携帯端末のうちの少なくとも一組がペアリングを確立すると、その後、ペアリングが確立した携帯端末との間で人のプロフィールに関する情報を無線で送受信して利用者に対して前記プロフィールに関する情報を通知する携帯端末であって、
他の通信機器へ自己プロフィール情報及び希望する他人のプロフィール情報を送信する送信手段と、
前記他の通信機器が受信したプロフィール情報に基づいて発行する認証コードであって、複数の携帯端末のうちの少なくとも一組がペアリングを確立する際に用いる認証コードを、前記他の通信機器から受信する受信手段と、
前記受信した認証コードを記憶する記憶手段と、
他の携帯端末と無線により情報を送受信する無線通信手段と、
前記無線通信手段が他の携帯端末から認証コードを受信すると、前記記憶手段に記憶されている認証コードを読み出して、前記受信した認証コードと照合する照合手段と、
前記照合の結果、双方の認証コードが一致している場合には、前記記憶手段に記憶されている認証コードと一致した認証コードを送信した携帯端末と、以降のプロフィールに関する情報の送受信処理を実施し、前記無線通信手段を介して受信したプロフィールに関する情報を利用者に対して通知する通知手段と、
を備えたことを特徴とする携帯端末。
【請求項２】
利用者所望の他人の希望プロフィール情報を入力する希望プロフィール情報入力手段と、
前記利用者により入力された希望プロフィール情報を前記携帯端末に送信する第１の送信手段と、
を備えたことを特徴とする請求項１の携帯端末。
【請求項３】
利用者自身の自己プロフィール情報を入力する自己プロフィール情報入力手段と、
前記利用者により入力された自己プロフィール情報を前記携帯端末に送信する第２の送信手段と、
を備えたことを特徴とする請求項１又は２の携帯端末。
【請求項４】
複数の携帯端末のうちの少なくとも一組がペアリングを確立して以降の無線通信を継続し、お互いの利用者に対してプロフィール情報を通知する際に用いる認証コードを発行するサーバであって、
利用者所望の他人の希望プロフィール情報を受信する第１の受信手段と、
利用者自身の自己プロフィール情報を利用者側から受信する第２の受信手段と、
前記受信した自己プロフィール情報と前記受信した希望プロフィール情報とを照合する照合手段と、
前記照合の結果、双方のプロフィール情報が類似している場合には、希望プロフィール情報を送信した第１の携帯端末に認証コードを送信する第１の送信手段と、
前記照合の結果、双方のプロフィール情報が類似している場合には、自己プロフィール情報を送信した第２の携帯端末に認証コードを送信する第２の送信手段と、を備え、
前記第１の携帯端末と前記第２の携帯端末がペアリングを確立する相手を特定することを可能にすることを特徴とするサーバ。
【請求項５】
第１の利用者が携行している第１の携帯端末と第２の利用者が携行している第２の携帯端末とがお互いに近距離無線通信の通信圏内に入ると自動で通信を開始してお互いの携帯端末が記憶している認証コードに基づいてペアリングを実施し、該ペアリングが確立すると利用者に通知する情報交換仲介システムであって、
第１の利用者が希望する他人の希望プロフィール情報を入力する希望プロフィール情報入力手段と、
前記希望プロフィール情報を他の通信機器であるサーバに送信する第１の送信手段と、
サーバからペアリングを確立する際の認証コードを受信する第１の受信手段と、
前記受信した認証コードを記憶する第１の記憶手段と、
近くに存在する第２の携帯端末と無線により情報を送受信する第１の近距離用無線通信手段と、
前記第１の近距離用無線通信手段が第２の携帯端末から認証コードを受信すると、前記第１の記憶手段に記憶されている認証コードを読み出して、受信した認証コードと照合する第１の照合手段と、
前記照合の結果双方の認証コードが一致している場合には、前記第２の携帯端末の存在を利用者に対して通知する第１の通知手段と、
を備えた第１の携帯端末と、
第１の利用者が希望する他人の希望プロフィール情報を第１の携帯端末から受信する第２の受信手段と、
第２の利用者の自己プロフィール情報を第２の携帯端末から受信する第３の受信手段と、
前記第３の受信手段が受信した自己プロフィール情報と前記希望プロフィール情報記憶手段に記憶されている希望プロフィール情報とを照合する第２の照合手段と、
前記照合の結果、双方のプロフィール情報が類似している場合には、前記希望プロフィール情報記憶手段に記憶されているプロフィール情報と類似した自己プロフィール情報を送信した第２の利用者側の第２の携帯端末にペアリングを実施する際の認証コードを送信する第２の送信手段と、
前記照合の結果、双方のプロフィール情報が類似している場合には、前記受信した自己プロフィール情報と類似した希望プロフィール情報を送信した第１の利用者側の第１の携帯端末にペアリングを実施する際の認証コードを送信する第３の送信手段と、
を備えたサーバと、
第２の利用者自身の自己プロフィール情報を入力する自己プロフィール情報入力手段と、
前記第２の利用者が入力した自己プロフィール情報をサーバに送信する第４の送信手段と、
前記サーバからペアリングを確立する際の認証コードを受信する第４の受信手段と、
前記受信した認証コードを記憶する第２の記憶手段と、
近くに存在する第１の携帯端末と無線により情報を送受信する第２の近距離用無線通信手段と、
前記第２の近距離用無線通信手段が第１の携帯端末から認証コードを受信すると、前記第２の記憶手段に記憶されている認証コードを読み出して、受信した認証コードと照合する第２の照合手段と、
前記照合の結果双方の認証コードが一致している場合には、前記第１の携帯端末の存在を利用者に対して通知する第２の通知手段と、
を備えた第２の携帯端末と、
から構成されることを特徴とする情報交換仲介システム。
【請求項６】
前記第１及び前記第２の照合手段による照合の結果、双方の認証コードが一致している場合には、前記第１の携帯端末と前記第２の携帯端末とがお互いに以降の情報の送受信処理を継続して実施する手段を備えたことを特徴とする請求項５の情報交換仲介システム。
【請求項７】
第１の利用者が携行している第１の携帯端末と第２の利用者が携行している第２の携帯端末とがお互いに近距離無線通信の通信圏内に入ると自動で通信を開始してお互いの携帯端末が記憶している認証コードに基づいてペアリングを実施し、該ペアリングが確立すると利用者に通知する情報交換仲介方法であって、
第１の携帯端末に、第１の利用者が希望する他人の希望プロフィール情報を入力する工程と、
第１の携帯端末が、前記希望プロフィール情報を他の通信機器であるサーバに送信する工程と、
前記サーバが、前記希望プロフィール情報を第１の携帯端末から受信する工程と、
第２の携帯端末が、第２の利用者自身の自己プロフィール情報を入力する工程と、
第２の携帯端末が、前記第２の利用者が入力した自己プロフィール情報を前記サーバに送信する工程と、
前記サーバが、前記自己プロフィール情報を第２の携帯端末から受信する工程と、
前記サーバが、前記受信した自己プロフィール情報と前記希望プロフィール情報とを照合する工程と、
前記サーバが、前記照合の結果、双方のプロフィール情報が類似している場合には、前記類似した希望プロフィール情報を送信した第１の利用者側の第１の携帯端末にペアリングを実施する際の認証コードを送信する工程と、
第１の携帯端末が、前記サーバから認証コードを受信する工程と、
第１の携帯端末が、前記受信した認証コードを記憶する工程と、
前記サーバが、前記照合の結果、双方のプロフィール情報が類似している場合には、前記類似した自己プロフィール情報を送信した第２の利用者側の第２の携帯端末にペアリングを実施する際の認証コードを送信する工程と、
第２の携帯端末が、前記サーバから認証コードを受信する工程と、
第２の携帯端末が、前記受信した認証コードを記憶する工程と、
第１の利用者が携行している第１の携帯端末と第２の利用者が携行している第２の携帯端末とがお互いに近距離無線通信の通信圏内に入ると自動で通信を開始する工程と、
第１の携帯端末が近距離の無線通信手段によって、第２の携帯端末から認証コードを受信する工程と、
第１の携帯端末が、前記サーバから受信した認証コードを読み出して前記第２の携帯端末から受信した認証コードと照合する工程と、
第１の携帯端末が、前記照合の結果、双方の認証コードが一致している場合には、前記第２の携帯端末の存在を利用者に対して通知する工程と、
第２の携帯端末が近距離の無線通信手段によって、第１の携帯端末から認証コードを受信する工程と、
第２の携帯端末が、前記サーバから受信した認証コードを読み出して前記第１の携帯端末から受信した認証コードと照合する工程と、
第２の携帯端末が、前記照合の結果、双方の認証コードが一致している場合には、前記第１の携帯端末の存在を利用者に対して通知する工程と、
を含むことを特徴とする情報交換仲介方法。
【発明の詳細な説明】
【０００１】
【発明の属する技術分野】
本発明は、携帯端末、情報交換仲介システム及びその方法に係り、特に、互いに希望するプロフィールを備えた利用者が携行する携帯端末どうしが無線通信圏内に入ると、希望するプロフィールを備えた人物が近くにいることを利用者に通知することが可能な携帯端末、情報交換仲介システム及びその方法に関する。
【０００２】
【従来の技術】
従来から、ネットワークを介して不特定の個人から商品販売情報または商品購入情報の入力を受け、その入力を基に個人間での商品の売買を仲介する個人間商品販売方法が知られている。特に、購入したい商品や購入希望者等からなる購入情報と、販売したい商品や販売希望者等からなる販売情報とをそれぞれ磁気ディスクに登録し、前記購入情報が入力されたときに予め登録された前記販売情報を検索し、条件にあった販売情報データのうち販売希望者に関する情報以外の部分からなる商品リストを利用者に提示し、利用者はその中から気に入った商品を選択することによりその商品を登録した相手の販売希望者の情報等を得て、相手との連絡や商品の取り引きを行うことが可能な個人間商品販売仲介方法および装置が、特開平１１−７４６７号の公報に示されている。
【０００３】
また、特開平１０−２３２８９３号の公報には、公開会員が発信したプロフィールを匿名会員が閲覧させ、匿名会員個人を特定できる情報を除いた匿名情報を公開会員に閲覧する情報交換仲介装置が示されている。
【０００４】
また、特開平６−１９９２６号の公報には、希望の相手を探したい利用者が自己データと希望データとを登録し、希望データと適合性の高い相手リストの中の特定の相手に対し、メール、音声、画像を送信することが可能な人物紹介用コンピュータネットワークが示されている。
【０００５】
また、特開平９−１７９９１０号の公報には、ユーザの個人情報を公開することなく、知らないユーザ同士を電子的に仲介して、個人情報の交換を可能にする電子仲介システム及び方法が示されている。
【０００６】
【発明が解決しようとする課題】
しかしながら、前述の特開平１１−７４６７号の公報等に示されている個人間商品販売仲介方法等では、情報を取得する端末としてパーソナルコンピュータの使用が必須であったり、使用用途も限定されているため、誰もが気軽に利用できる環境ではなかった。
【０００７】
近年では携帯電話の普及が非常に進み、ビジネス用としての利用はもちろんのこと、個人間のコミュニケーションツールとして広く低年齢層にまで普及している。
【０００８】
また、携帯電話の性能向上に伴い、インターネット接続対応機種や、液晶画像のカラー化及び高画素化が進み、個人情報ツールとしての使用も可能となっている。
【０００９】
更に、近距離（１０ｍ程度の範囲内）でのブルートゥース通信規格に代表される無線通信機能を備えた携帯電話も開発され、販売されようとしている。しかしこの近距離無線通信を実施する際に、複数の通信機器どうしが近距離の通信圏内に入ったからといって自由に無線通信を許してしまうと、すれ違った見ず知らずの通行人が携行する携帯電話とも無線通信を実施してしまうことになる。そこで、この無線通信機能では不特定の通信機器との混信を防ぐために、特定の通信機器としか通信可能とならないための認証コード（パスワード）となるペアリング番号を設定して通信を実施して個人情報を仲介するシステムとして機能することが可能となっている。
【００１０】
本発明は、このような携帯電話の高機能化された事情に鑑みてなされたもので、個人情報仲介に際してパソコンが不要であるとともに、携帯電話をお互いの利用者が携行しているだけで複雑な操作も不要で、ゲーム感覚で所望の条件に合った人物と偶然の出会いの場を提供することが可能な携帯端末、情報交換仲介システムおよびその方法を提供することを目的としている。
【００１１】
【課題を解決するための手段】
前記目的を達成するために請求項１に記載の携帯端末に係る発明は、複数の他の携帯端末のうちの少なくとも一組がペアリングを確立すると、その後、ペアリングが確立した携帯端末との間で人のプロフィールに関する情報を無線で送受信して利用者に対して前記プロフィールに関する情報を通知する携帯端末であって、他の通信機器へ自己プロフィール情報及び希望する他人のプロフィール情報を送信する送信手段と、前記他の通信機器が受信したプロフィール情報に基づいて発行する認証コードであって、複数の携帯端末のうちの少なくとも一組がペアリングを確立する際に用いる認証コードを、前記他の通信機器から受信する受信手段と、前記受信した認証コードを記憶する記憶手段と、他の携帯端末と無線により情報を送受信する無線通信手段と、前記無線通信手段が他の携帯端末から認証コードを受信すると、前記記憶手段に記憶されている認証コードを読み出して、前記受信した認証コードと照合する照合手段と、前記照合の結果、双方の認証コードが一致している場合には、前記記憶手段に記憶されている認証コードと一致した認証コードを送信した携帯端末と、以降のプロフィールに関する情報の送受信処理を実施し、前記無線通信手段を介して受信したプロフィールに関する情報を利用者に対して通知する通知手段とを備えたことを特徴とする。
【００１２】
本発明によれば携帯端末は、複数の他の携帯端末のうちの少なくとも一組がペアリングを確立すると、その後、ペアリングが確立した携帯端末との間で人のプロフィールに関する情報を無線で送受信して利用者に対して前記プロフィールに関する情報を通知する携帯端末であって、他の通信機器へ自己プロフィール情報及び希望する他人のプロフィール情報を送信する送信手段と、前記他の通信機器が受信したプロフィール情報に基づいて発行する認証コードであって、複数の携帯端末のうちの少なくとも一組がペアリングを確立する際に用いる認証コードを、前記他の通信機器から受信する受信手段と、前記受信した認証コードを記憶する記憶手段と、他の携帯端末と無線により情報を送受信する無線通信手段と、前記無線通信手段が他の携帯端末から認証コードを受信すると、前記記憶手段に記憶されている認証コードを読み出して、前記受信した認証コードと照合する照合手段と、前記照合の結果、双方の認証コードが一致している場合には、前記記憶手段に記憶されている認証コードと一致した認証コードを送信した携帯端末と、以降のプロフィールに関する情報の送受信処理を実施し、前記無線通信手段を介して受信したプロフィールに関する情報を利用者に対して通知する通知手段とを備えたので、街中を散策中などの場合に所望の条件に合った人物と偶然に出会うことが可能となる。
【００１３】
また、前記目的を達成するために請求項５に記載の発明は、第１の利用者が携行している第１の携帯端末と第２の利用者が携行している第２の携帯端末とがお互いに近距離無線通信の通信圏内に入ると自動で通信を開始してお互いの携帯端末が記憶している認証コードに基づいてペアリングを実施し、該ペアリングが確立すると利用者に通知する情報交換仲介システムであって、第１の利用者が希望する他人の希望プロフィール情報を入力する希望プロフィール情報入力手段と、前記希望プロフィール情報を他の通信機器であるサーバに送信する第１の送信手段と、サーバからペアリングを確立する際の認証コードを受信する第１の受信手段と、前記受信した認証コードを記憶する第１の記憶手段と、近くに存在する第２の携帯端末と無線により情報を送受信する第１の近距離用無線通信手段と、前記第１の近距離用無線通信手段が第２の携帯端末から認証コードを受信すると前記第１の記憶手段に記憶されている認証コードを読み出して受信した認証コードと照合する第１の照合手段と、前記照合の結果双方の認証コードが一致している場合には、前記第２の携帯端末の存在を利用者に対して通知する第１の通知手段とを備えた第１の携帯端末と、第１の利用者が希望する他人の希望プロフィール情報を第１の携帯端末から受信する第２の受信手段と、第２の利用者の自己プロフィール情報を第２の携帯端末から受信する第３の受信手段と、前記第３の受信手段が受信した自己プロフィール情報と前記希望プロフィール情報記憶手段に記憶されている希望プロフィール情報とを照合する第２の照合手段と、前記照合の結果双方のプロフィール情報が類似している場合には前記希望プロフィール情報記憶手段に記憶されているプロフィール情報と類似した自己プロフィール情報を送信した第２の利用者側の第２の携帯端末にペアリングを実施する際の認証コードを送信する第２の送信手段と、前記照合の結果双方のプロフィール情報が類似している場合には前記受信した自己プロフィール情報と類似した希望プロフィール情報を送信した第１の利用者側の第１の携帯端末にペアリングを実施する際の認証コードを送信する第３の送信手段とを備えたサーバと、第２の利用者自身の自己プロフィール情報を入力する自己プロフィール情報入力手段と、前記第２の利用者が入力した自己プロフィール情報をサーバに送信する第４の送信手段と、前記サーバからペアリングを確立する際の認証コードを受信する第４の受信手段と、前記受信した認証コードを記憶する第２の記憶手段と、近くに存在する第１の携帯端末と無線により情報を送受信する第２の近距離用無線通信手段と、前記第２の近距離用無線通信手段が第１の携帯端末から認証コードを受信すると前記第２の記憶手段に記憶されている認証コードを読み出して受信した認証コードと照合する第２の照合手段と、前記照合の結果双方の認証コードが一致している場合には前記第１の携帯端末の存在を利用者に対して通知する第２の通知手段とを備えた第２の携帯端末とから構成されていることを特徴としている。
【００１４】
本発明に係る情報交換仲介システムによれば、第１の利用者が希望プロフィール情報を入力する希望プロフィール情報入力手段と、前記希望プロフィール情報を他の通信機器であるサーバに送信する第１の送信手段と、サーバから認証コードを受信する第１の受信手段と、前記受信した認証コードを記憶する第１の記憶手段と、近くに存在する第２の携帯端末と無線により情報を送受信する第１の近距離用無線通信手段と、前記第２の携帯端末から受信した認証コードと前記第１の記憶手段に記憶されている認証コードとを照合する第１の照合手段と、前記双方の認証コードが一致している場合には前記第２の携帯端末の存在を利用者に対して通知する第１の通知手段とを備えた第１の携帯端末と、希望プロフィール情報を第１の携帯端末から受信する第２の受信手段と、自己プロフィール情報を第２の携帯端末から受信する第３の受信手段と、前記第３の受信手段が受信した自己プロフィール情報と前記希望プロフィール情報記憶手段に記憶されている希望プロフィール情報とを照合する第２の照合手段と、前記照合の結果双方のプロフィール情報が類似している場合には前記第２の携帯端末にペアリングを実施する際の認証コードを送信する第２の送信手段と、前記照合の結果双方のプロフィール情報が類似している場合には前記第１の携帯端末にペアリングを実施する際の認証コードを送信する第３の送信手段とを備えたサーバと、第２の利用者自身の自己プロフィール情報を入力する自己プロフィール情報入力手段と、前記自己プロフィール情報をサーバに送信する第４の送信手段と、前記サーバから認証コードを受信する第４の受信手段と、前記受信した認証コードを記憶する第２の記憶手段と、近くに存在する第１の携帯端末と無線により情報を送受信する第２の近距離用無線通信手段と、前記第１の携帯端末から受信した認証コードと前記第２の記憶手段に記憶されている認証コードとを照合する第２の照合手段と、前記照合の結果双方の認証コードが一致している場合には前記第１の携帯端末の存在を利用者に対して通知する第２の通知手段とを備えた第２の携帯端末とから構成されているので、所望の条件に合った人物と偶然の出会いの場を提供することが可能となる。
【００１５】
【発明の実施の形態】
以下添付図面に従って、本発明に係る携帯端末、情報交換仲介システム及びその方法の好ましい実施の形態について詳説する。
【００１６】
図１は、本発明に係る情報交換仲介システムの全体構成を示す図である。
【００１７】
同図によれば、情報交換仲介システムの登録会員側は、自己プロフィールが「性別：男、年齢：23歳、地域：東京、性格：明るい性格、趣味：サッカー」であるとともに、出会いを希望する相手の希望プロフィールが「性別：女、年齢：20-23 歳、地域：関東、性格：優しい性格、趣味：スポーツ好き」である登録会員１と、前記登録会員１が携行する携帯端末の一形態である携帯電話４０Ａと、自己プロフィールが「性別：女、年齢：22歳、地域：神奈川、性格：優しい性格、趣味：サッカー観戦」であるとともに、出会いを希望する相手の希望プロフィールが「性別：男、年齢：22-25 歳、地域：東京、性格：明るく頼もしい性格、趣味：サッカー」である登録会員２と、前記登録会員２が携行する携帯端末の一形態である携帯電話４０Ｂとから構成されている。
【００１８】
また、情報交換仲介システムの情報交換仲介運営会社側は、携帯電話４０Ａ、４０Ｂ等が加入している携帯電話回線網１０と、前記自己プロフィールや希望プロフィール等が記憶されているデータベース８と、前記登録会員１及び登録会員２等が所有する携帯電話４０Ａ、４０Ｂ等と携帯電話回線網１０を介して情報の送受信を行うことが可能であるとともに、前記会員データベース８に対して情報の読み書きが可能なサーバ９０とから構成されている。
【００１９】
図２に、携帯電話４０Ａ、４０Ｂ…の信号処理部のブロック図を示す。
【００２０】
同図によれば携帯電話４０Ａ、４０Ｂ…の情報送受信部には、公衆回線と無線通信するための送信手段及び受信手段である公衆回線用のアンテナ４５２と、公衆回線用の送受信手段４５３と、携帯電話４０Ａ、４０Ｂ…の近傍に存在する通信機器と無線通信するための近距離の無線通信手段であるアンテナ４５６と、送受信手段４５７とから構成されている。
【００２１】
また、携帯電話４０Ａ、４０Ｂ…には、通信状況、電波強度、電池の残容量、電話番号、顧客が希望する文字又は画像等のプロフィール情報を表示するＬＣＤ等で構成されている表示手段４６８（通知手段の機能を含む）と、表示手段４６８に表示する情報を一時的に記憶するフレームメモリ４７１と、電話番号、希望するプロフィール情報、自己プロフィール情報、送信又は受信する情報の選択等を行う際に情報を入力する入力手段４７２（自己プロフィール情報入力手段、希望プロフィール情報入力手段の機能を含む）と、他の通信機器から情報を受信した際にその旨を振動によるバイブレート機能や着信音を発して顧客に通知する通知手段４７４とが設けられている。
【００２２】
また、携帯電話４０Ａ、４０Ｂ…の全体の制御を司る情報処理手段（ＣＰＵ）４８０（照合手段、特定の携帯端末のみとペアリングするペアリング手段の機能を含む）と、情報処理手段４８０を動作させる各種定数、電話番号、所有者を特定する固有の識別情報、通信先のアドレス等が書き込まれているＰＲＯＭ４８２と、情報処理手段４８０を動作させるためのプログラムや各種定数が記録されているＲＯＭや情報処理手段４８０が処理を実行する際の作業領域となる記憶手段のＲＡＭとから構成されているシステムメモリ４８４とが設けられている。
【００２３】
また、携帯電話４０Ａ、４０Ｂ…には、他の携帯電話等の特定の通信機器と無線による通信を実施する際に、お互いを認証して以降の通信を継続して実施するためのペアリングを実施する時に使用するペアリング番号（認証コード）を記憶するペアリング番号記憶手段４８６（記憶手段）と、入力手段４７２及び通知手段４７４と情報処理手段４８０との間で情報を変換して伝達するＩ／Ｏ４８８と、時を刻むカレンダ時計４９０と、必要に応じて各登録会員の希望プロフィールや自己プロフィールを記憶するプロフィール記憶手段４９１とから構成されている。
【００２４】
携帯電話４０Ａ、４０Ｂ…内の情報処理手段４８０と、送受信手段４５３、送受信手段４５７、フレームメモリ４７１、ＰＲＯＭ４８２、システムメモリ４８４、ペアリング番号記憶手段４８６、Ｉ／Ｏ４８８、カレンダ時計４９０、プロフィール記憶手段４９１を含む各周辺回路は、バス４９９等の通信手段で接続されており、情報処理手段４８０は各々の周辺回路を制御することが可能となっている。
【００２５】
近距離用の送受信手段４５７は、近年注目されている「Ｂｌｕｅｔｏｏｔｈ」等に代表される近距離の通信仕様に基づいた通信手段であってもよい。
【００２６】
図３にサーバの信号処理部のブロック図を示す。
【００２７】
同図によればサーバ９０の情報送受信部には、サーバ９０が公衆電話回線を介して通信するためのモデムやターミナルアダプタ等の通信手段９６４と、公衆回線用の送受信手段９６５（各送信手段及び受信手段の機能を含む）とが設けられている。
【００２８】
また、サーバ９０には、サーバ９０の動作状況、通信状況、データベース８に記録されている登録会員の情報や各プロフィール情報等を表示するＣＲＴ等で構成された表示手段９６８と、表示手段９６８に表示する情報を一時的に記憶しているフレームメモリ９７１と、サーバ９０の全体の制御を司る情報処理手段（ＣＰＵ）９８０と、情報処理手段９８０を動作させるプログラムや各種定数が記録されているＲＯＭや情報処理手段９８０が処理を実行する際の作業領域となるＲＡＭとから構成されているシステムメモリ９８４とが設けられている。
【００２９】
また、サーバ９０には、例えば携帯電話４０Ａ、４０Ｂ…どうしが無線による通信を行うことを許可するための「ペアリング処理」を実施する時に使用する認証コードであるペアリング番号を発行するペアリング番号発行手段９８５（情報処理手段９８０がこの機能を含んでいてもよい）と、１乃至複数の登録会員の希望プロフィール情報や自己プロフィール情報を記憶しておく会員データベース９８６（前記データベース８の機能を含むものであってもよい）とが設けられている。
【００３０】
サーバ９０内の情報処理手段９８０と、送受信手段９６５と、フレームメモリ９７１、システムメモリ９８４、ペアリング番号発行手段９８５、会員データベース９８６とを含む各周辺回路は、バス９９９等の通信手段で接続されており、情報処理手段９８０は各々の周辺回路を制御することが可能となっている。
【００３１】
図４に、情報交換仲介システムの登録処理に関するフローチャートを示す。
【００３２】
同図によれば情報交換仲介システムにおける会員の登録処理は、例えば登録会員１及び携帯電話４０Ａが実施するルーチンの開始点であるステップＳ１００「登録会員操作」（以降Ｓ１００のように省略して記載する）と、サーバ９０が実施するルーチンの開始点であるＳ２００「サーバ」とを開始点とする処理ルーチンから構成されている。
【００３３】
例えば登録会員１、２…は、Ｓ１０２「自己プロフィール及び希望条件の入力」にて、例えば携帯電話４０Ａ、４０Ｂ…の入力手段４７２を操作して、「氏名、性別、年齢、地域、性格、趣味、職業、特技」等の自己紹介テキストデータや、自分の顔画像データなどの画像データ、自己紹介メッセージ等の音声データ等の自己プロフィールや、出会いを希望する希望プロフィールを入力する。この入力作業を行う対象の機器は、上記の携帯電話４０Ａ、４０Ｂ…であってもよいし、通信手段を備えたパソコン等の通信機器であってもよい。
【００３４】
前記入力した自己プロフィール情報や希望プロフィール情報等のテキストデータ、音声データ、画像データ等の各プロフィール情報は、必要に応じて携帯電話４０Ａ、４０Ｂ…のプロフィール記憶手段４９１に記憶される。
【００３５】
次のＳ１０４「自己プロフィール及び希望条件の送信」にて、登録会員１、２…が携帯電話４０Ａ、４０Ｂ…に対して自己プロフィール及び希望条件に関する情報の入力終了及び送信を指示すると、携帯電話４０Ａ、４０Ｂ…は前記登録会員１、２…が入力した各プロフィール情報を公衆回線やインターネット等の携帯電話通信回線網１０を経由してサーバ９０に送信する処理を行う。また、パソコン等の通信機器からサーバ９０に対して出力された情報の伝達経路は、前記携帯電話４０Ａ、４０Ｂ…を介した通信であってもよいし、他の通信ネットワークを介した通信手段であってもよい。
【００３６】
前記自己プロフィール情報や希望プロフィール情報を、Ｓ２０２「自己プロフィール及び希望条件の受信」にて各携帯電話から情報を受信したサーバ９０の情報処理手段９８０の処理は、次のＳ２０４「登録済？」の判断に進む。もし、Ｓ２０４にて既に前記のプロフィール情報が登録されている場合には、処理はＳ２０８「希望条件と他者のプロフィール合致？」の判断に分岐する。
【００３７】
また、もしＳ２０４にて受信した各プロフィール情報が会員データベース９８６内に登録されていないと判断した場合には、Ｓ２０６「登録」の処理に進み、前記受信した自己プロフィール情報や希望プロフィール情報を登録会員の所有する携帯電話の電話番号等の登録会員情報と関連付けて会員データベース９８６に登録する。そしてＳ２０８に進む。なお、必要に応じて画像データや、音声データも一緒に関連付けて登録するようにしてもよい。
【００３８】
次のＳ２０８では情報処理手段９８０は、例えば登録会員１から送信されて会員データベース９８６に記録されている希望プロフィール情報と、他の登録会員から送信されて会員データベース９８６に登録されている自己プロフィール情報とを検索、照合するとともに、必要に応じて登録会員１から送信されて会員データベース９８６に記録されている自己プロフィール情報と、他の登録会員から送信されて会員データベース９８６に登録されている希望プロフィール情報とを検索、照合して、登録会員１の各プロフィール情報と一致、類似又は包含する他の登録会員の各プロフィール情報を探す検索処理を行う。
【００３９】
なお、登録会員が入力した希望プロフィール情報の内容によっては、複数人の登録会員が選び出される場合もありうる。
【００４０】
もしＳ２０８にて、登録会員１の各プロフィール情報と、一致、類似又は包含している他の登録会員の各プロフィール情報がない場合には、処理プログラムはＳ２１４「サーバ終了」に分岐し、一連の登録処理を終了して、元のルーチンに戻る。
【００４１】
また、もしＳ２０８にて、登録会員１の希望プロフィール情報及び自己プロフィール情報と一致、類似又は包含する他の登録会員の希望プロフィール情報及び自己プロフィール情報が存在する場合には、処理プログラムはＳ２１０「ペアリング番号の発行」に進む。そして、各プロフィール情報が一致、類似又は包含するそれぞれの登録会員が所有する携帯電話どうしが通信相手を特定して近距離無線通信を実施する際に使用するユニークな認証コードである「ペアリング番号」を発行する処理を行う。
【００４２】
そして、次のＳ２１２「ペアリング番号の送信」では、前記発行したペアリング番号を、通信手段９６４を介して各々の該当する登録会員の携帯電話に送信する処理を行う。そして、該ペアリング番号の送信処理か終了すると、処理プログラムはＳ２１４「サーバ終了」に進む。
【００４３】
また、サーバ９０が前記ペアリング番号を該当する登録会員の携帯電話に対して送信すると、Ｓ１０６「ペアリング番号の受信」にて、送受信手段４５３を介して各携帯電話は送信されたペアリング番号（認証コードを含む）を受信する。そして、次のＳ１０８「ペアリング番号の設定」にて、情報処理手段４８０は、受信したペアリング番号をペアリング番号記憶手段４８６に近距離無線通信時（例えばブルートゥースの通信規格に基づく無線通信時）に相互の携帯端末を認証するためのペアリング番号として記憶する処理を行う。
【００４４】
該ペアリング番号の記憶が終了すると、次のＳ１１０「操作終了」に進み、お互いの携帯電話４０Ａ、４０Ｂ…側での登録処理を終了する。
【００４５】
なお、サーバ９０から各々の携帯電話４０Ａ、４０Ｂ…に対するペアリング番号の送信方法は、携帯電話４０Ａ、４０Ｂ…に対する電子メールの形式であってもよいし、各登録会員１、２…の専用のアドレスやＵＲＬへの書き込みであってもよいし、公衆電話回線上での「ダイヤル検索サービス」等のように音声による番号通知の送信方法であっても本発明の目的を達成することが可能である。
【００４６】
図５に、会員データベース９８６に登録されている登録会員情報と、関連付けて登録されている自己プロフィール情報と、希望プロフィール情報と、発行した「ペアリング番号」とが記載された図表を示す。
【００４７】
同図に示されるように、登録会員１が希望する希望プロフィール情報と一致、類似又は包含する自己プロフィール情報を入力した登録会員は、登録会員２と登録会員１７の女性である。また、登録会員２の希望プロフィール情報と登録会員１の自己プロフィール情報とは類似しているため、サーバ９０のペアリング番号発行手段は登録会員１と登録会員２とにペアリング番号「123456」を発行して、各々の登録会員が所有する携帯電話４０Ａ及び４０Ｂに前記発行したペアリング番号を送信する。そして、前記ペアリング番号を受信した携帯電話４０Ａ及び４０Ｂは、前記受信したペアリング番号をペアリング番号記憶手段４８６に記憶する。
【００４８】
また、登録会員１７の希望プロフィール情報と登録会員１の自己プロフィール情報とは類似しているため、サーバ９０のペアリング番号発行手段は登録会員１と登録会員１７とにペアリング番号「234567」を発行して、各々の登録会員が所有する携帯電話に前記発行したペアリング番号を送信する。そして、前記ペアリング番号を受信した各々の携帯電話は、前記受信したペアリング番号をペアリング番号記憶手段４８６に記憶する。
【００４９】
以降同様にして、各登録会員の希望プロフィール情報及び自己プロフィール情報と一致、類似又は包含する他の登録会員の希望プロフィール情報及び自己プロフィール情報が存在する場合には、それぞれの登録会員に対して「ペアリング番号」を発行して、送信する処理を行う。
【００５０】
そして、複数の登録会員が携帯電話を携行しながら繁華街等の街中を散策して、各々の携帯電話どうしが近くに接近した際に、お互いの携帯電話は近距離無線の通信を実施して通信の確立を試みる。なお、この散策は、お互いの登録会員どうしが高確率で「バッタリ」出会うために設定した例であって、繁華街の散策は必ずしも出会いに対する必要条件ではない。ペアリング番号の設定が済んだ携帯電話４０Ａ、４０Ｂ…を携行さえしていれば、特に出会いを希望する相手を探すという意識を持たなくても、普段どおりの生活を実施しているだけでよい。
【００５１】
以降に、登録会員１及び登録会員２が街中を散策中に偶然出会って、お互いを希望する相手と認識する際の流れについて説明する。
【００５２】
登録会員１が携帯電話４０Ａを携行して散策中に、偶然登録会員２が携行する携帯電話４０Ｂと携帯電話４０Ａとが通信圏内に入って、近距離の無線通信を実施することが可能な状態になると、携帯電話４０Ａと携帯電話４０Ｂとはお互いに無線通信を開始する。そして、例えば携帯電話４０Ａは、ペアリング番号記憶手段４８６に記憶されているペアリング番号を読み出して携帯電話４０Ｂに対して送信する。
【００５３】
前記ペアリング番号を受信した携帯電話４０Ｂは、携帯電話４０Ｂ自身のペアリング番号記憶手段４８６に記憶されているペアリング番号の中から一致する番号を探す処理を行う。もし、ペアリング番号記憶手段４８６内に、携帯電話４０Ａから受信したペアリング番号と一致する認証番号が存在すると情報処理手段４８０が判断した場合には、以降の携帯電話４０Ａとの通信を許可する。そして、着信音を発したり、バイブレート式の通知手段４７４を用いて登録会員２に対して通知を行う。
【００５４】
また、携帯電話４０Ａから登録会員２が「出会い」を希望している登録会員１の自己プロフィール情報や顔画像等の画像プロフィール情報、音声によるメッセージ情報等を携帯電話４０Ｂに送信して、携帯電話４０Ｂの表示手段４６８に表示したり、通知手段４７４から音声を発して、メッセージの通知を実施してもよい。
【００５５】
また、無線通信の通信圏が広くお互いの登録会員１、２がすぐに認知可能な位置関係にない場合には、登録会員１と登録会員２とがお互いを発見できない可能性もあるので、携帯電話４０Ａ、４０Ｂ…に相手の登録会員がいる位置情報や方向の情報を通知する地図情報等を送信して、表示手段４６８に表示するようにしてもよい。
【００５６】
図６に、携帯電話４０Ａと携帯電話４０Ｂとが実施するペアリングのフローチャートを示す。
【００５７】
同図によれば登録会員１が携行する携帯電話４０Ａが近距離の無線通信を実施する際の処理ルーチンがＳ１５０「登録会員１携帯電話」以降に、また、登録会員２が携行する携帯電話４０Ｂが近距離の無線通信を実施する際の処理ルーチンがＳ３５０「登録会員２携帯電話」以降にそれぞれ示されている。
【００５８】
Ｓ１５２「（登録会員２が登録会員１に１０ｍ以内に近づく）」及び、Ｓ３５２「（登録会員１が登録会員２に１０ｍ以内に近づく）」にて、登録会員１及び登録会員２とがお互いに無意識のうちに近づくと、携帯電話４０Ａ及び携帯電話４０Ｂの各情報処理手段４８０は、お互いの携帯電話が発する通信情報に同期して、Ｓ１５４「登録会員２携帯電話と通信開始」及びＳ３５４「登録会員１携帯電話と通信開始」にて、近距離用の無線通信を開始する。
【００５９】
次のＳ１５６「ペアリング番号の送信・受信」及びＳ３５６「ペアリング番号の送信・受信」では、例えば登録会員１の携帯電話４０Ａから登録会員２の携帯電話４０Ｂに対してペアリング番号記憶手段４８６に記憶されてるペアリング番号を携帯電話４０Ｂに送信し、携帯電話４０Ｂからは携帯電話４０Ａに対してペアリング番号記憶手段４８６に記憶しているペアリング番号を送信する。
【００６０】
次のＳ１５８「ペアリング合致？」及びＳ３５８「ペアリング合致？」では、お互いの携帯電話４０Ａ、４０Ｂが受信したペアリング番号と、自らがサーバ９０から受信して記憶しているペアリング番号の中から一致しているペアリング番号を検索する処理を行う。もし、一致しているペアリング番号が存在しない場合には、処理プログラムはＳ１７４「登録会員１操作終了」及びＳ３７４「登録会員２操作終了」に分岐して、携帯電話４０Ａと携帯電話４０Ｂとの間での以降の情報の送受信を終了する処理を行う。
【００６１】
また、Ｓ１５８及びＳ３５８にて、一致しているペアリング番号が存在する場合には、処理プログラムは次のＳ１６０「登録会員２携帯電話と通信確立」及びＳ３６０「登録会員１携帯電話と通信確立」に進み、携帯電話４０Ａと携帯電話４０Ｂとの間での情報の送受信を以降も継続するための処理を行う。
【００６２】
お互いの携帯電話４０Ａ、４０Ｂ間で通信の継続性（ペアリング）が確立されると、携帯電話４０Ｂの処理プログラムは、Ｓ３６２「登録会員２プロフィール（顔画像データ）の送信」に進み、携帯電話４０Ａに対して登録会員２が提供する画像や音声等のプロフィール情報を送信する。ここで携帯電話４０Ａに対して送信する情報は、登録会員１及び登録会員２が、お互いが初対面であってもお互いを特定することが可能な顔の画像や衣服、持ち物、装飾品、髪の毛の長さ及び髪型、身体の特徴などの情報とするとよい。
【００６３】
一方携帯電話４０Ａの処理プログラムは、Ｓ１６２「登録会員２プロフィール（顔画像データ）の受信」にて、携帯電話４０Ｂが送信した情報を受信し、次のＳ１６４「登録会員１プロフィール（顔画像データ）の送信」に進み、前記Ｓ３６２にて携帯電話４０Ｂが送信した情報と同様の登録会員１に関するプロフィール情報を携帯電話４０Ｂに対して送信する。
【００６４】
携帯電話４０Ａが登録会員１のプロフィール情報を送信すると、携帯電話４０ＢはＳ３６４「登録会員１プロフィール（顔画像データ）の受信」にて、携帯電話４０Ａが送信した情報を受信する。
【００６５】
次のＳ１６６「携帯電話着信音発声」及びＳ３６６「携帯電話着信音発声」では、携帯電話４０Ａ及び４０Ｂの情報処理手段４８０が、Ｉ／Ｏ４８８を介して通知手段４７４に着信音の発生を指示すると、通知手段４７４から着信音を発生して、登録会員１及び登録会員２に対して情報を受信していることを着信音にて通知する。
【００６６】
また、次のＳ１６８「携帯電話バイブレート機能オン」及び、Ｓ３６８「携帯電話バイブレート機能オン」にて、携帯電話４０Ａ及び４０Ｂの情報処理手段４８０がＩ／Ｏ４８８を介して通知手段４７４に着信バイブレータ機能の起動を指示すると、通知手段４７４からは振動を発生して、登録会員１及び登録会員２対して情報を受信していることを通知する。
【００６７】
次のＳ１７０「通話状態になったか？」及びＳ３７０「通話状態になったか？」では、例えば登録会員１及び登録会員２が携帯電話４０Ａ及び携帯電話４０Ｂの入力手段４７２に設けられている「開始ボタン」等を操作して、通話状態になるのを待つ処理を行っている。
【００６８】
もし登録会員１及び登録会員２が「開始ボタン」を押さずに携帯電話４０Ａ、４０Ｂが通話状態にならなかった場合には、処理プログラムは再びＳ１７０及びＳ３７０に戻り、着信音の発生及び着信バイブレータを起動し続けて利用者に対して着信状態であることを促し続ける。
【００６９】
また、所定の時間経過しても利用者により「開始ボタン」等が操作されない場合には、携帯電話４０Ａ及び４０Ｂの留守番電話機能を利用して「出会い」に関するメッセージを音声にて録音するようにしてもよい。また、電子メール機能を利用して文字情報にて「出会い」に関するメッセージを記憶するようにしてもよい。
【００７０】
もし登録会員１及び登録会員２が「開始ボタン」を押して携帯電話４０Ａ、４０Ｂが通話状態になった場合には、処理プログラムはＳ１７２「登録会員２の音声メッセージ再生・顔画像表示」及びＳ３７２「登録会員１の音声メッセージ再生・顔画像表示」に進み、携帯電話４０Ａ及び携帯電話４０Ｂの通知手段４７４を用いて受信した音声情報を発音するとともに、必要に応じて表示手段４６８にＳ１６４及びＳ３６４にて受信した顔画像を表示する。前記情報の発音処理及び表示処理が終了すると、処理プログラムは次のＳ１７４及びＳ３７４に進み、お互いの携帯電話どうしのペアリングの処理が終了する。
【００７１】
なお、前記Ｓ１７４及びＳ３７４にて登録会員１及び登録会員２のペアリングに関する操作が終了した後も、お互いが出会えるまで必要に応じて電話としての通信を継続するようにしてもよい。
【００７２】
本発明に係る情報交換仲介システム及びその方法は、従来の「出会い情報仲介サービス」等にありがちな強制的な出会いを提供してもらうものではないので、自分の希望する条件に「ピッタリ」適合した希望の相手と、偶然「バッタリ」出会うことで、正に運命の赤い糸で結ばれていたかのような運命的なすばらしい出会いを演出することが可能となる。したがって本発明は、正に「バッタリ・ピッタリ出会い紹介サービス」と呼ぶことが可能な仲介サービスである。
【００７３】
また、お互いに通知する手段として例えば赤色で表示をすることが可能な通知手段を備えた携帯電話を用いていることで、「運命の赤い糸電話サービス」などのような一般利用者にもわかりやすいサービス名称で利用してもらうことが可能となる。
【００７４】
また、本発明によれば、各登録会員が携行する携帯端末を、携帯端末の存在するおおまかな位置を検出することが可能なＰＨＳや携帯電話とすることで、地域に限定した、より高確率な「出会い」を提供することが可能となる。そして、サーバ９０がお互いの携帯電話の位置情報を読み取って、同一エリアに居ることを検索又は合致の条件の一つとして限定して設定したり、必要に応じて検索する条件を甘くしたりすることにより、より高確率の「出会い」を提供することが可能となる。
【００７５】
また、上記の実施の形態では、サーバ９０が携帯電話４０Ａ、４０Ｂ…から登録会員１、２…の各種プロフィール情報を受信して照合し、ペアリング番号を発行する例で説明したが、本発明はこれに限定されるものではなく、以下に示すように携帯電話４０Ａ、４０Ｂどうしのみで各種プロフィール情報を送受信して照合し、登録会員１及び登録会員２等の利用者に対して所望の相手が近くにいることを通知するようにしてもよい。
【００７６】
例えば、登録会員１が希望する、他人の希望プロフィール情報を携帯電話４０Ａの入力手段４７２を介して予め入力し、登録会員２が自分自身の自己プロフィール情報を携帯電話４０Ｂの入力手段４７２を介して予め入力しておく。
【００７７】
そして、登録会員１が携行している携帯電話４０Ａと登録会員２が携行している携帯電話４０Ｂとがお互いに近距離無線通信の通信圏内に入ると自動で通信を開始し、携帯電話４０Ａが前記希望プロフィール情報を携帯電話４０Ｂに送信し、携帯電話４０Ｂが前記送信された希望プロフィール情報を受信する。
【００７８】
携帯電話４０Ｂの情報処理手段４８０は、登録会員２が入力した自己プロフィール情報と前記携帯電話４０Ａから受信した希望プロフィール情報とを照合し、該照合の結果双方のプロフィール情報が類似していると判断した場合には、利用者が希望するプロフィールを有する登録会員１が近くにいることを利用者に対して通知する指令を出力する。
【００７９】
その一方、携帯電話４０Ｂが登録会員２の自己プロフィール情報を携帯電話４０Ａに送信し、携帯電話４０Ｂは前記送信された自己プロフィール情報を受信する。
【００８０】
携帯電話４０Ａの情報処理手段４８０は、登録会員１が入力した希望プロフィール情報と前記携帯電話４０Ｂから受信した自己プロフィール情報とを照合し、該照合の結果双方のプロフィール情報が類似していると判断した場合には、利用者が希望するプロフィールを有する登録会員２が近くにいることを利用者に対して通知する指令を出力する。このようにしても、お互いの希望プロフィール情報と自己プロフィール情報とが類似する登録会員１と登録会員２とが偶然に出会うことが可能となる。
【００８１】
【発明の効果】
以上説明したように本発明に係る携帯端末、情報交換仲介システム及びその方法によれば、第１の携帯端末に第１の利用者が希望する他人の希望プロフィール情報を入力し、第２の携帯端末に第２の利用者自身の自己プロフィール情報を入力し、前記第１の利用者が携行する第１の携帯端末と前記第２の利用者が携行する第２の携帯端末とがお互いに近距離無線通信の通信圏内に入ると自動で通信を開始し、第１の携帯端末と第２の携帯端末とがお互いに各プロフィール情報又は認証コードを交換して照合し、前記照合の結果双方のプロフィール情報又は認証コードが類似又は一致している場合には、第１の携帯端末及び第２の携帯端末は所望の相手が近くにいることを利用者に対して通知するようにしたので、簡単な操作で所望の条件に合った人物との偶然の出会いを利用者に対して提供することが可能となる。
【図面の簡単な説明】
【図１】情報交換仲介システムの全体構成を示す図
【図２】携帯電話の信号処理部のブロック図
【図３】サーバの信号処理部のブロック図
【図４】情報交換仲介システムの登録処理に関するフローチャート
【図５】登録会員情報等と関連付けて会員データベースに登録されているペアリング番号とが記載された図表
【図６】複数の携帯電話どうしが実施するペアリングのフローチャート
【符号の説明】
１…登録会員、２…登録会員、８…データベース、１０…携帯電話回線網、４０Ａ、４０Ｂ…携帯電話、９０…サーバ、４５２…アンテナ、４５３…送受信手段、４５６…アンテナ、４５７…送受信手段、４６８…表示手段、４７１…フレームメモリ、４７２…入力手段、４７４…通知手段、４８０…情報処理手段、４８２…ＰＲＯＭ、４８４…システムメモリ、４８６…ペアリング番号記憶手段、４８８…Ｉ／Ｏ、４９０…カレンダ時計、４９１…プロフィール記憶手段、４９９…バス、９６４…通信手段、９６５…送受信手段、９６８…表示手段、９７１…フレームメモリ、９８０…情報処理手段、９８４…システムメモリ、９８５…ペアリング番号発行手段、９８６…会員データベース、９９９…バス
【図１】
0004092530.tif 000002
【図２】
0004092530.tif 000003
【図３】
0004092530.tif 000004
【図４】
0004092530.tif 000005
【図５】
0004092530.tif 000006
【図６】
0004092530.tif 000007